【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
入口と出口と後端に沿って配列された混合器ローブの輪とを有する航空力学的に形状を合わせられたタービンシュラウドと、
周囲の風の流れにさらすように構成された、該タービンシュラウド内に据え付けられた単一のタービンステージと、
該タービンシュラウドの下流の排出口シュラウドであって、該排出口シュラウドは入口と出口とを有する、排出口シュラウドと
を備える、軸流風力タービン。
【請求項２】
前記タービンシュラウドの後端は、前記排出口シュラウドの入口に延びている、請求項１に記載の軸流風力タービン。
【請求項３】
前記排出口シュラウドは、混合器ローブの輪をさらに備え、該混合器ローブは、該排出口シュラウドの後端の周りに配列されている、請求項１に記載の軸流風力タービン。
【請求項４】
前記風力タービンは、該風力タービンが内側方向の風の流れに自由に旋回することを可能にするために、該風力タービン上の圧力中心の位置の前方に位置するカップリングを回転することによって垂直方向支持シャフト上に据え付けられる、請求項１に記載の軸流風力タービン。
【請求項５】
前記風力タービンは、前記タービンシュラウドまたは前記排出口シュラウドの内側に少なくとも１つの可動ブロッカを含むことにより、該風力タービンを通る流れの量を妨げる、請求項１に記載の軸流風力タービン。
【請求項６】
前記排出口シュラウドの外部表面は、前記タービンの接近している流れの方向との整列を航空力学的に支援し、前記風力タービンの振動によって誘起された流れの擾乱を減衰するための自己調節可動ウイングタブを含む、請求項１に記載の軸流風力タービン。
【請求項７】
前記タービンステージは、ステータ翼の輪と、ローターブレードの輪とを備え、該ステータ翼は、機械的に回転して、ステータ出口流を、すべての動作条件において該ローターブレードと良好に整列させることが可能である、請求項１に記載の軸流風力タービン。
【請求項８】
前記ローターブレードの輪は、前記タービンステージの周りの車輪様の構造の形成において電力抽出に接続される、請求項７に記載の軸流風力タービン。
【請求項９】
出口と、一次空気流を受容するための入口と、一次ダクトと、後端の周りに配列された混合器ローブの輪とを有する航空力学的に形状を合わせられたタービンシュラウドと、
周囲の風の流れにさらすように構成された、該一次ダクト内に据え付けられた単一のタービンステージと、
入口と出口とを有する排出口シュラウドと
を備える、軸流風力タービン。
【請求項１０】
前記タービンシュラウドの後端は、前記排出口シュラウドの入口に延びている、請求項９に記載の軸流風力タービン。
【請求項１１】
前記排出口シュラウドの入口は、該排出口シュラウドの出口の断面積より大きい断面積を有する、請求項９に記載の軸流風力タービン。
【請求項１２】
前記排出口シュラウドの出口は、該排出口シュラウドの入口の断面積より大きい断面積を有する、請求項９に記載の軸流風力タービン。
【請求項１３】
前記タービンシュラウドは、前記一次空気流の速度を増加させるために反らされる、請求項９に記載の軸流風力タービン。
【請求項１４】
前記タービンシュラウドは、該タービンシュラウド内に生成された騒音を減少させる材料を含む、請求項９に記載の軸流風力タービン。
【請求項１５】
前記排出口シュラウドは、非円形の断面を有する、請求項９に記載の軸流風力タービン。
【請求項１６】
前記タービンシュラウドの出口は、前記タービンシュラウドの入口の断面積より大きい断面積を有する、請求項９に記載の軸流風力タービン。
【請求項１７】
前記風力タービンを支持塔に据え付けるための、前記タービンシュラウドの下部外面上の旋回ジョイントをさらに備える、請求項９に記載の軸流風力タービン。
【請求項１８】
前記タービンシュラウドの入口を空気流内に向ける前記排出口シュラウドの外部に据え付けられた安定器翼をさらに備える、請求項９に記載の軸流風力タービン。
【請求項１９】
前記排出口シュラウドは、前記排出口シュラウドの出口の周りに間隔を空けて配列された混合器ローブを備える、請求項９に記載の軸流風力タービン。
【請求項２０】
前記タービンステージは、プロペラを備える、請求項９に記載の軸流風力タービン。
【請求項２１】
前記タービンステージは、ステータ輪およびローターを備える、請求項９に記載の軸流風力タービン。
【請求項２２】
前記タービンシュラウドは、６〜１４の混合器ローブを有する、請求項９に記載の軸流風力タービン。
【請求項２３】
各混合器ローブは、５〜２５度の内側後端角を有する、請求項９に記載の軸流風力タービン。
【請求項２４】
各混合器ローブは、５〜２５度の外側後端角を有する、請求項９に記載の軸流風力タービン。
【請求項２５】
前記タービンシュラウドの長さは、該タービンシュラウドの最大外径以下である、請求項９に記載の軸流風力タービン。
【請求項２６】
軸流風力タービンを動作する方法であって、該方法は、
該軸流風力タービンの航空力学的に形状を合わせられたタービンシュラウドの入口に一次空気流を受容することであって、該航空力学的に形状を合わせられたタービンシュラウドは、また、出口と、後端に配列された混合器ローブの輪とを含む、ことと、
該タービンシュラウド内に据え付けられた単一のタービンステージを、該一次空気流からの周囲の風の流れにさらすことと、
該タービンシュラウドの下流の排出口シュラウドによって受容される周囲の空気の二次流を運ぶことであって該排出口シュラウドは、入口と出口とを有する、ことと、
該タービンシュラウドの該混合器ローブを用いて、該一次流と該二次流とを混合することと
を含む、方法。
【請求項２７】
前記タービンシュラウドの後端は、前記排出口シュラウドの入口に延びている、請求項２６に記載の方法。
【請求項２８】
前記排出口シュラウドは、混合器ローブの輪をさらに備え、該混合器ローブは、該排出口シュラウドの後端の周りに配列され、前記方法は、該排出口シュラウドの混合器ローブを用いて、該一次流と該二次流とをさらに混合することをさらに含む、請求項２６に記載の方法。
【請求項２９】
前記風力タービンは、該風力タービン上の圧力中心の位置の前方に位置するカップリングを回転することによって垂直方向支持シャフト上に据え付けられ、前記方法は、該風力タービンが内側方向の風の流れに旋回することをさらに含む、請求項２６に記載の方法。
【請求項３０】
前記風力タービンは、前記タービンシュラウドまたは前記排出口シュラウドの内側に少なくとも１つの可動ブロッカを含み、前記方法は、該可動ブロッカを用いて、該風力タービンを通る流れの量を妨げることをさらに含む、請求項２６に記載の方法。
【請求項３１】
前記排出口シュラウドの外部表面は、自己調節可動ウイングタブを含み、前記方法は、前記タービンの接近している流れの方向との整列を航空力学的に支援することと、前記風力タービンの振動によって誘起された流れの擾乱を減衰することとをさらに含む、請求項２６に記載の方法。
【請求項３２】
前記タービンステージは、ステータ翼の輪と、ローターブレードの輪とを備え、前記方法は、該ステータ翼を機械的に回転して、ステータ出口流を、異なる動作条件において該ローターブレードと良好に整列させることをさらに含む、請求項２６に記載の方法。
【請求項３３】
前記ローターブレードの輪は、前記タービンステージの周りの車輪様の構造の形成において電力抽出に接続される、請求項３２に記載の方法。
【請求項３４】
軸流風力タービンを動作する方法であって、該方法は、
該軸流風力タービンの航空力学的に形状を合わせられたタービンシュラウドの入口に一次空気流を受容することであって、該タービンシュラウドは、一次ダクトと、該タービンシュラウドの後端に配列された混合器ローブの輪とをさらに含む、ことと、
該一次ダクト内に据え付けられた単一のタービンステージを、周囲の風の流れにさらすことと、
二次空気流を排出口シュラウドの入口に受容することであって、該タービンシュラウドの後端は、該排出口シュラウドに延びている、ことと、
該タービンシュラウドの該混合器ローブを用いて、該一次流と該二次流とを混合することと
を含む、方法。
【請求項３５】
前記タービンシュラウドの後端は、前記排出口シュラウドの入口に延びている、請求項３４に記載の方法。
【請求項３６】
前記排出口シュラウドの入口は、該排出口シュラウドの出口の断面積より大きい断面積を有する、請求項３４に記載の方法。
【請求項３７】
前記排出口シュラウドの出口は、該排出口シュラウドの入口の断面積より大きい断面積を有する、請求項３４に記載の方法。
【請求項３８】
前記タービンシュラウドは、前記一次空気流の速度を増加させるために反らされる、請求項３４に記載の方法。
【請求項３９】
前記タービンシュラウドは、該タービンシュラウド内に生成された騒音を減少させる材料を含む、請求項３４に記載の方法。
【請求項４０】
前記排出口シュラウドは、非円形の断面を有する、請求項３４に記載の方法。
【請求項４１】
前記タービンシュラウドの出口は、前記タービンシュラウドの入口の断面積より大きい断面積を有する、請求項３４に記載の方法。
【請求項４２】
前記風力タービンを支持塔に据え付けるための、前記タービンシュラウドの下部外面上の旋回ジョイントをさらに備える、請求項３４に記載の方法。
【請求項４３】
前記タービンシュラウドの入口を空気流内に向ける前記排出口シュラウドの外部に据え付けられた安定器翼をさらに備える、請求項３４に記載の方法。
【請求項４４】
前記排出口シュラウドは、前記排出口シュラウドの出口の周りに間隔を空けて配列された混合器ローブを備え、前記方法は、該排出口シュラウドの混合器ローブを用いて、一次流と二次流とをさらに混合することをさらに含む、請求項３４に記載の方法。
【請求項４５】
前記タービンステージは、プロペラを備える、請求項３４に記載の方法。
【請求項４６】
前記タービンステージは、ステータ輪およびローターを備える、請求項３４に記載の方法。
【請求項４７】
前記タービンシュラウドは、６〜１４の混合器ローブを有する、請求項３４に記載の方法。
【請求項４８】
各混合器ローブは、５〜２５度の内側後端角を有する、請求項３４に記載の方法。
【請求項４９】
各混合器ローブは、５〜２５度の外側後端角を有する、請求項３４に記載の方法。
【請求項５０】
前記タービンシュラウドの長さは、該タービンシュラウドの最大外径以下である、請求項３４に記載の方法。
【手続補正２】
【補正対象書類名】明細書
【補正対象項目名】００２６
【補正方法】変更
【補正の内容】
【００２６】
本発明の他の目的と利点とが、添付の図面と共に、以下に記載される記述を読むとすぐに明らかになる。
例えば、本発明は以下の項目を提供する。
（項目１）
ａ．フレア状の入口を有するタービンシュラウドとインペラ羽根の輪を有する下流のインペラとを有するタイプの軸流風力タービンに対してＢｅｔｚ限界を超えた電力レベルを発電することであって、
ｉ．該フレア状の入口を有する該タービンシュラウドの中に、そして、該タービンシュラウドを通って周囲の空気の一次空気流を受け入れ、そして、導くことと、
ｉｉ．該一次空気流によって、該シュラウドの中でインペラを回転させ、それにより、該一次空気流が、該インペラにエネルギーを伝えることと、
ｉｉｉ．周囲の空気の二次空気流を流入させ、該インペラに続いて下流にある混合器と排出器とを経由して、該インペラを通過した該一次空気流だけと該二次空気流とを混合することと
による、発電すること
を包含する、方法。
（項目２）
少なくとも複数日の間、Ｂｅｔｚ限界を超えた上記電力レベルを持続することをさらに包含する、項目１に記載の方法。
（項目３）
少なくとも複数週の間、Ｂｅｔｚ限界を超えた上記電力レベルを持続することをさらに包含する、項目１に記載の方法。
（項目４）
上記混合器は、上記排出器の中に延びている混合器ローブの輪を備えている、項目１に記載の方法。
（項目５）
上記混合器は、放射状に間隔を空けられた複数の混合器スロットを備えている、項目１に記載の方法。
（項目６）
上記タービンはさらに、上記インペラの上流にステータ翼の輪を備えている、項目１に記載の方法。
（項目７）
ａ．フレア状の入口を有するタービンシュラウドと下流のプロペラ状のロータとを有する風車に対してＢｅｔｚ限界を超えた電力レベルを発電することであって、
ｉ．該フレア状の入口の中に、そして、該タービンシュラウドを通って周囲の空気の一次空気流を受け入れ、そして、導くことと、
ｉｉ．該一次空気流によって、該シュラウドの中でインペラを回転させ、それにより、該一次空気流が、該ロータにエネルギーを伝え、低いエネルギーの空気流になることと、
ｉｉｉ．周囲の空気の二次空気流を流入させ、該ロータに続いて下流にある混合器と排出器とを経由して、該インペラを通過した該低いエネルギーの空気流だけと該二次空気流を混合することと
による、発電すること
を包含する、方法。
（項目８）
少なくとも複数日の間、Ｂｅｔｚ限界を超えた上記電力レベルを持続することをさらに包含する、項目７に記載の方法。
（項目９）
少なくとも複数週の間、Ｂｅｔｚ限界を超えた上記電力レベルを持続することをさらに包含する、項目７に記載の方法。
（項目１０）
上記混合器は、上記排出器の中に延びている混合器ローブの輪を備えている、項目７に記載の方法。
（項目１１）
上記混合器は、放射状に間隔を空けられた複数の混合器スロットを備えている、項目７に記載の方法。
（項目１２）
上記タービンはさらに、上記インペラの上流にステータ翼の輪を備えている、項目７に記載の方法。
（項目１３）
ａ．フレア状の入口を有するタービンシュラウドとインペラ羽根の輪を有する下流のインペラとを有するタイプの軸流風力タービンによって発電された電力レベルを増加させながら、該風力タービンの騒音レベルを最小にすることであって、
ｉ．該タービンシュラウドの中に、そして、該タービンシュラウドを通って周囲の空気の一次空気流を受け入れ、そして、導くことと、
ｉｉ．該一次空気流によって、該シュラウドの中でインペラを回転させ、それにより、該一次空気流が、該インペラ羽根にエネルギーを伝え、低いエネルギーの空気流になることと、
ｉｉｉ．周囲の空気の二次空気流を流入させ、該インペラ羽根に続いて下流にある混合器と排出器とを経由して、該インペラ羽根を通過した該一次空気流だけと該二次空気流を混合することと
による、最小にすること
を包含する、方法。
（項目１４）
ａ．入口を有する、航空力学的に形状を合わせられたタービンシュラウドとインペラ羽根の輪を有する下流のインペラとを有するタイプの軸流風力タービンを通って流れる空気の量を増加させることであって、
ｉ．周囲の空気を流入させ、該インペラの下流にある混合器を経由して、該インペラ羽根を通過した低いエネルギーの空気だけと該周囲の空気を混合すること
による、増加させることを
包含する、方法。
（項目１５）
上記タービンを通って流れる周囲の空気の量を増加させながら、上記混合器の下流にある排出器によって上記風力タービンからの排気流の騒音レベルを最小にすることをさらに包含する、項目１４に記載の方法。
（項目１６）
ａ．ロータを有するタイプの風車を通って流れる空気の量を増加させることであって、
ｉ．周囲の空気を流入させ、該ロータの下流にある混合器を経由して、該ロータを通過した低いエネルギーの空気だけと該周囲の空気を混合すること
による、増加させること
を包含する、方法。
（項目１７）
上記風車を通って流れる周囲の空気の量を増加させながら、上記混合器の下流にある排出器によって、該風車からの排気流の騒音レベルを最小にすることをさらに包含する、項目１６に記載の方法。
（項目１８）
風力タービンを動作させる方法であって、該方法は、
ａ．上流方向と下流方向とを有する風力タービンを風の流れの中に提供することと、
ｂ．タービンシュラウドの中に、そして、該タービンシュラウドを通って一次空気を受け入れ、そして、導くことと、
ｃ．該一次空気流によって該シュラウドの中でインペラを回転させ、それにより、エネルギーが、該一次空気流から該インペラに伝えられることと、
ｄ．以前に該タービンシュラウドを通過したことのない二次空気流と、該タービンシュラウドを出た後の一次空気流とを、該タービンシュラウドに隣接して配置された排出器シュラウドの中に受け入れ、そして、導くことであって、該二次空気流は、該一次空気流が該インペラを回転させた後に含むよりも多くのエネルギーを含む、受け入れ、そして、導くことと、
ｅ．該排出器シュラウドに入った後に、該一次空気流と該二次空気流とが混合し、そして、該二次空気流から該一次流へのエネルギーの伝達を引き起こすような方向に、該一次空気流と該二次空気流とを導くことと
を包含する、方法。
（項目１９）
ａ．上記タービンシュラウドの中で上記インペラを回転させた後に、該インペラの回転軸から離れるように、上記一次空気流を導くことと、
ｂ．該排出器シュラウドに入った後に、該インペラの回転軸に向かって上記二次空気流導くことと
をさらに包含する、項目１８に記載の方法。
（項目２０）
ａ．上記タービンシュラウドの中で上記インペラを回転させた後に、上記インペラの回転軸上の場所から離れるように、そして、該タービンシュラウドから下流の場所に上記一次空気流の一部を導くことと、
ｂ．該排出器シュラウドに入った後に、該インペラの回転軸上の場所に向かって上記二次空気流の一部を導き、それにより、エネルギーが、該二次空気流から該一次空気流に伝えられることと
をさらに包含する、項目１８に記載の方法。
（項目２１）
風力タービンを動作させる方法であって、該方法は、
ａ．上流方向と下流方向とを有する風力タービンを風の流れの中に提供することと、
ｂ．タービンシュラウドの中に、そして、該タービンシュラウドを通って一次空気流を受け入れ、そして、導くことと、
ｃ．該一次空気流によって該シュラウドの中でインペラを回転させ、それにより、エネルギーが、該一次空気流から該インペラに伝えられることと、
ｄ．該タービンシュラウドの出口に隣接し、かつ、該タービンシュラウドの出口と実質的に同心に配置されている排出器シュラウドの中に、以前に該タービンシュラウドを通過したことのない二次空気流と、該タービンシュラウドを出た後の該一次空気流とを受け入れることであって、ここで、
ｅ．該二次空気流は、該排出器シュラウドに入る際には、該一次空気流が該インペラを回転させた後のエネルギーの高さよりも高いエネルギーの空気流であり、
ｆ．該二次空気流は、該排出器シュラウドの中で該一次空気流と混合し、そして、
ｇ．該二次空気流は、該一次空気流を外面的に囲み、該一次空気流と混合し、そして、エネルギーを該一次空気流に伝える、受け入れることと
を包含する、方法。
（項目２２）
上記二次空気流は、上記一次空気流と同軸である、項目２１に記載の方法。
（項目２３）
風力タービンを動作させる方法であって、該方法は、
ａ．上流方向と下流方向とを有する風力タービンを風の流れの中に提供することと、
ｂ．タービンシュラウドに中に、そして、該タービンシュラウドを通って一次空気流を受け入れ、そして、導くことと、
ｃ．該一次空気流によって該シュラウドの中でインペラを回転させることと、
ｄ．該タービンシュラウドを通過することなく、該タービンシュラウドの周りを通過した二次空気流を、排出器シュラウドの中に、そして、該排出器シュラウドを通って受け入れ、そして、導くことであって、該二次空気流は、該排出器の中で該一次空気流と混合することにより、一連の混合渦巻を生成する、受け入れ、そして、導くことと
を包含する、方法。
（項目２４）
上記二次空気流は、上記一次空気流と混合することにより、少なくとも上記タービンシュラウドの実質的な非均一性によって、上記インペラの下流で、一連の渦巻を生成する、項目２８に記載の方法。
（項目２５）
上流方向と下流方向とを有する軸流風力タービンを動作させる方法であって、
ａ．空気流の中に該軸流風力タービンを提供することであって、該軸流風力タービンは、タービンステージと、混合器と、該混合器の下流から延びている排出器とを含む、提供することと、
ｂ．該排出器に対する該混合器の配置によって、混合器／排出器ポンプとして該軸流風力タービンを動作させるので、高いエネルギーの空気と低いエネルギーの空気とが、互いに対して混合することにより、該タービンステージを通る空気流を増強させることと
を包含する、方法。
（項目２６）
進歩した軸流風力タービンを動作させる方法であって、該方法は、
ａ．上流方向と下流方向とを有する風力タービンを風の流れの中に提供することと、
ｂ．一次空気流がインペラを通過して該インペラを回転させるように、タービンシュラウドを通って該一次空気流を受け入れることと、
ｃ．二次空気流が、該タービンシュラウドを通過することなく、該タービンシュラウドの周りを通るように、そして、該二次空気流が、排出器シュラウドを通過するように該二次空気流を受け入れることと、
ｄ．該一次空気流の力を活用して機械エネルギーを生成しながら、該軸流風力タービンの動作効率に関して、Ｂｅｔｚ限界を超えることと
を包含する、方法。
（項目２７）
上記一次空気流の力を活用して機械エネルギーを生成しながら、異常でない期間にわたって上記軸流風力タービンの動作効率に関してＢｅｔｚ限界を超えることをさらに包含する、項目２６に記載の方法。
（項目２８）
上記一次空気流の力を活用して機械エネルギーを生成しながら、一貫して上記軸流風力タービンの動作効率に関してＢｅｔｚ限界を超えることをさらに包含する、項目２６に記載の方法。
（項目２９）
ａ．三次空気流が、上記排出器シュラウドの末端領域における混合器を通過するように、該三次空気流が、上記タービンシュラウドと該排出器シュラウドとを先に通過することなく、該タービンシュラウドの周りを通るように、該三次空気流を受け入れること
をさらに包含する、項目２６に記載の方法。
（項目３０）
風力タービンを動作させる方法であって、該方法は、
ａ．上流方向と下流方向とを有する風力タービンを風の流れの中に提供することと、
ｂ．タービンシュラウドの中に、そして、該タービンシュラウドを通って一次空気流を受け入れ、そして、導くことと、
ｃ．該一次空気流によって該シュラウドの中でインペラを回転させ、それにより、エネルギーが、該一次空気流から該インペラに伝えられることと、
ｄ．以前に該タービンシュラウドを通過したことのない二次空気流と、該タービンシュラウドを出た後の一次空気流とを、該タービンシュラウドの出口に隣接し、かつ、該タービンシュラウドの出口と同心で配置された排出器シュラウドの中に受け入れることであって、ここで、
ｉ．該二次空気流は、該排出器シュラウドに入る際には、該一次空気流が該インペラを回転させた後のエネルギーの高さよりも高いエネルギーの空気流であり、
ｉｉ．該二次空気流は、該排出器シュラウドの中で該一次空気流と混合し、そして、
ｉｉｉ．該二次空気流は、該一次空気流を外面的に囲み、該一次空気流と混合し、そして、エネルギーを該一次空気流に伝える、受け入れることと、
ｅ．以前に該タービンシュラウドと該排出器シュラウドとを通過したことのない三次空気流を、該排出器シュラウドの末端領域に埋め込まれた混合器の中に受け入れることであって、ここで、
ｉ．該三次空気流は、該排出器シュラウドの該混合器に入る際には、該一次空気流が該インペラを回転させた後のエネルギーの高さよりも高いエネルギーの空気流であり、
ｉｉ．該三次空気流は、該排出器シュラウドを出る該混合された一次空気流と二次空気流とを外面的に囲み、それらと混合し、そして、エネルギーをそれらに伝える、受け入れることと
を包含する、方法。
（項目３１）
風力タービンを動作させる方法であって、該方法は、
ａ．上流方向と下流方向とを有する風力タービンを風の流れの中に提供することと、
ｂ．タービンシュラウドの中に、そして、タービンシュラウドを通って一次空気流を受け入れ、そして、導くことと、
ｃ．該一次空気流によって該シュラウドの中でインペラを回転させることと、
ｄ．該タービンシュラウドを通過することなく、該タービンシュラウドの周りを通過した二次空気流を、排出器シュラウドの中に、そして、該排出器シュラウドを通って受け入れ、そして、導くことであって、該二次空気流は、該排出器の中で該一次空気流と混合することにより、一連の混合渦巻を生成する、受け入れ、そして、導くことと
ｅ．以前に、該タービンシュラウドを通過しておらず、そして、該排出器シュラウドを通過したことのない三次空気流を、該排出器シュラウドの末端領域における混合器の中に受け入れ、そして、導くことであって、ここで、
ｉ．該三次空気流は、該排出器シュラウドの該混合器に入る際には、該一次空気流が該インペラを回転させた後のエネルギーの高さよりも高いエネルギーの空気流であり、
ｉｉ．該三次空気流は、一連の混合渦巻を外面的に囲み、それと混合し、そして、エネルギーをそれに伝える、受け入れ、そして、導くことと
を包含する、方法。